(57)【特許請求の範囲】
【請求項１】
第１の被記録材と保持トレイにセットされた第２の被記録材の両方に記録実行可能な記録実行部と、
対向するローラ対によって構成され、前記第２の被記録材がセットされる前記保持トレイに対して前記記録実行部側に向かう搬送力を付与する搬送用ローラと、
対向するローラ対によって構成され、前記記録実行部の下流側に位置し、前記第１の被記録材に対して排出方向に向かう排出力を付与する排出用ローラと、を備え、
前記保持トレイの一方の面には、前記搬送用ローラのローラ対のうちの一方のローラの外周面と接触する凸部と、前記排出用ローラのローラ対のうちの一方のローラと対向する位置に設けられ該排出用ローラのローラ対のうちの一方のローラを受け入れ可能な凹部と、を備えた凹凸構造部が設けられていることを特徴とする記録装置。
【請求項２】
請求項１に記載の記録装置において、
前記凹部の深さは、前記保持トレイを搬送するに際して、該凹部の底面に前記排出用ローラのローラ対のうちの一方のローラの外周面が接触する深さに設定されていることを特徴とする記録装置。
【請求項３】
請求項１又は２に記載の記録装置において、
前記凹部は、複数の前記排出用ローラのローラ対のうちの一方のローラを個別に受け入れることができる幅寸法を有し、被記録材の搬送方向に沿って延びる複数本の溝部によって構成されていることを特徴とする記録装置。
【請求項４】
請求項１〜３のいずれか１項に記載の記録装置において、
前記第２の被記録材を使用して記録を実行する際、前記保持トレイに前記第２の被記録材をセットするセットポジションから前記記録実行部側に前記保持トレイを移動し、前記セットポジションに向けて前記保持トレイを搬送する構成であることを特徴とする記録装置。
【発明の詳細な説明】
【技術分野】
【０００１】
本発明は、普通紙等の軟質の第１の被記録材と、保持トレイを使用してＣＤ−Ｒ等の硬質の第２の被記録材の両方に記録実行可能なプリンタ、ファクシミリあるいは複写機に代表される、複合機を含む概念の記録装置に関するものである。
【背景技術】
【０００２】
以下、記録装置の一例であるインクジェットプリンタを例に採って説明する。インクジェットプリンタには、用紙やフィルム等、自立性を有しない軟質の被記録材と、光ディスク（ＣＤ−ＲやＤＶＤ−Ｒ等）で代表される、自立性を有する硬質の被記録材との両方に対して選択的に記録を実行することができる構造のものが在る。そして、前記ＣＤ−Ｒ等の硬質の被記録材に対して記録を実行する場合には、別途付属品として用意されている専用の保持トレイを使用するか、下記の特許文献１に示すようにプリンタ本体内に保持トレイが内蔵されている構造のインクジェットプリンタを使用する。前記保持トレイにはＣＤ−Ｒ等の被記録材をセットするセット凹部が設けられている。
【０００３】
前記２種類の被記録材の記録実行領域への搬送と、記録装置本体外への排出は同一の搬送用ローラと排出用ローラとを使用して実行されている。搬送用ローラは搬送駆動ローラと搬送従動ローラの対からなり、排出用ローラは排出駆動ローラと排出従動ローラの対からなる。従って、専用の保持トレイを使用して記録を実行する硬質の被記録材に対応するために、記録実行領域に存する被記録材が記録ヘッドのインク吐出面に対して平行になるよう、前記搬送駆動ローラと排出駆動ローラの設置高さは同一の高さに設定されていた。
【特許文献１】特開２００５−５９５８４号公報
【発明の開示】
【発明が解決しようとする課題】
【０００４】
一方、軟質の被記録材を搬送する場合には、被記録材をプラテンに押し付けて、記録ヘッドのインク吐出面との間のギャップをより安定させることが当該被記録材のヘッド擦れを防止し、記録実行品質の向上を図る上で望ましいとされている。この場合、排出駆動ローラの設置高さを搬送駆動ローラの設置高さより高くすれば効果的である。
【０００５】
しかし、排出駆動ローラの設置高さを搬送駆動ローラの設置高さよりも高くすると、硬質の被記録材を保持トレイで搬送する場合に該保持トレイ及び該被記録材が傾いてしまい、記録ヘッドのインク吐出面に対する平行度が低下する。従って、硬質の被記録材に対して記録を実行する場合には、記録ヘッドのインク吐出面と被記録材の被記録面との間のギャップが安定せず、記録実行品質の低下が生じる問題がある。
【０００６】
本発明の目的は、排出駆動ローラの設置高さを搬送駆動ローラの設置高さよりも高くした場合であっても、保持トレイ及び被記録材を前記平行度を高くしたまま支持して搬送することができるようにすることにある。
【課題を解決するための手段】
【０００７】
前記目的を達成するために、本発明の第１の態様に係る記録装置は、第１の被記録材と保持トレイの一面側にセットされた第２の被記録材の両方に記録実行可能な記録実行部と、前記第２の被記録材がセットされる前記保持トレイの他面に対して前記記録実行部側に向かう搬送力を付与する搬送駆動ローラと、前記記録実行部の下流側に位置し、前記第１の被記録材に対して前記搬送駆動ローラと同じ側から排出方向に向かう排出力を付与する排出駆動ローラとを備え、前記保持トレイの前記他面には、前記搬送駆動ローラの外周面と接触する凸部と、前記排出駆動ローラと対向する位置に設けられた凹部とを備えた凹凸構造部が設けられていることを特徴とするものである。
【０００８】
本態様によれば、保持トレイの前記他面に設けた凹凸構造部の凸部と凹部の高さの差の範囲で、排出駆動ローラの設置高さを搬送駆動ローラの設置高さよりも高く設定することができる。従って、軟質である第１の被記録材を搬送する場合には、当該第１の被記録材を記録実行部を成すプラテンに押し付けて、記録ヘッドにインク吐出面とプラテン間のギャップをより安定させ、第１の被記録材のヘッド擦れを防止して記録実行品質の向上を図ることができる。  
一方、硬質である第２の被記録材を搬送する場合には、保持トレイの前記他面の凸部と凹部の高さの差の範囲で、保持トレイ及び第２の被記録材の傾きを低減して前記平行度を確保することができるので、同じく記録ヘッドと第２の被記録材の被記録面との間のギャップを安定させ、記録実行品質の向上を図ることができる。
【０００９】
本発明の第２の態様は、前記第１の態様に係る記録装置において、前記凹部の深さは、前記保持トレイを搬送するに際して、該凹部の底面に前記排出駆動ローラの外周面が接触する深さに設定されていることを特徴とするものである。
【００１０】
本態様によれば、第２の被記録材が記録実行領域を通過している間は、保持トレイの前記他面の凸部の天面が搬送駆動ローラの外周面に接触し、保持トレイの前記他面の凹部の底面が排出駆動ローラの外周面に接触して搬送されるので、保持トレイ及び第２の被記録材の前記平行度が容易に確保される。
【００１１】
本発明の第３の態様は、前記第１の態様に係る記録装置において、前記凹部の深さは、前記凹部の底面と排出駆動ローラの外周面との間に空隙ができる深さに設定されており、前記保持トレイを搬送するに際しての姿勢の保持は、前記搬送駆動ローラ及び他の姿勢保持部によって行うように構成されていることを特徴とするものである。
【００１２】
本態様によれば、保持トレイは排出駆動ローラと非接触の状態で搬送されるから、搬送駆動ローラの前記搬送力と排出駆動ローラの前記排出力の両方を付与する場合における両ローラの送り力のずれの影響がなくなり、保持トレイ及び第２の被記録材のより円滑且つ高精度の搬送を実現することができる。それでいて、保持トレイを搬送するに際しての姿勢の保持、即ち前記平行度は、前記搬送駆動ローラ及び他の姿勢保持部によってしっかりと確保される。
【００１３】
本発明の第４の態様は、前記第1の態様から第３の態様のいずれか一つに係る記録装置において、前記凹部は、複数の前記排出駆動ローラを個別に受け入れることができる幅寸法を有し、被記録材の搬送方向に沿って延びる複数本の溝部によって構成されていることを特徴とするものである。
【００１４】
本態様によれば、保持トレイの前記他面に複数本の前記溝部設けることにより、構造簡単にして前記各態様の作用効果を得ることができる。
【発明を実施するための最良の形態】
【００１５】
以下、本発明に係る被記録材の搬送装置を備えた記録装置について説明する。最初に本発明の記録装置を実施するための最良の形態としてインクジェットプリンタ１を採り上げて、その全体構成の概略を図面に基づいて説明する。
【００１６】
図１はインクジェットプリンタの内部構造を示す保持トレイがセットポジションに位置しているときの斜視図、図２はインクジェットプリンタの内部構造の概略を示す保持トレイが記録実行領域に位置しているときの側断面図である。尚、図示のインクジェットプリンタ１は、上部に図示を省略した画像読取り装置（スキャナ）を搭載した複合型のインクジェットプリンタであり、用紙やフィルム等の軟質の第１の被記録材Ｐと、ＣＤ−ＲやＤＶＤ−Ｒを含む光ディスク等の硬質の第２の被記録材Ｑとの両方に対して記録を実行することができるタイプのインクジェットプリンタである。
【００１７】
このインクジェットプリンタ１は、外観が比較的フラットな面によって構成されている矩形筐体状の記録装置本体であるプリンタ本体２を備えている。そして、前記プリンタ本体２の内部に前記第１の被記録材Ｐ又は第２の被記録材Ｑを記録実行領域５１に向けて搬送し、所望の記録を実行した後の第１の被記録材Ｐ又は第２の被記録材Ｑをプリンタ本体２の外部に排出する被記録材の搬送装置５と、記録実行領域５１に搬送された第１の被記録材Ｐ又は第２の被記録材Ｑに対して所望の記録を実行する記録実行装置４と、を備えている。
【００１８】
被記録材の搬送装置５は、第２の被記録材Ｑをセットするためのセット凹部７１と、該第２の被記録材Ｑの内周縁７３を保持するチャック７２とが上面５５ａに形成され、下面５５ａに後述する凹凸構造部８０が形成された保持トレイ５５を備えている。また、前記２種類の被記録材Ｐ、Ｑを記録実行領域５１に向けて搬送する搬送駆動ローラ３５と搬送従動ローラ３６とを備える搬送用ローラ３４と、記録実行後の前記被記録材Ｐ、Ｑをプリンタ本体２の外部（本実施の形態ではプリンタ本体２の前方）に排出する排出駆動ローラ４４と排出従動ローラ４５とを備える排出用ローラ４３と、を備えている。尚、排出従動ローラ４５は、図示しないレリース機構によって第２の被記録材に対しては非接触となる位置に退避するようになっている。
【００１９】
保持トレイ５５は、本実施の形態では奥行き寸法の短い短寸の矩形平板状の部材によって構成されている。保持トレイ５５の上面５５ａにおける幅方向Ｂの中央位置の幾分前方寄りの位置に上述したセット凹部７１が形成されており、該セット凹部７１の中心に上述したチャック７２が形成されている。前記保持トレイ５５にセットできる被記録材Ｑとしては、直径１２ｃｍあるいは直径８ｃｍ等、使用が想定されるサイズのＣＤ−Ｒ、ＣＤ−ＲＷ、ＤＶＤ−Ｒ、ＤＶＤ−ＲＷあるいは次世代の光ディスクとして注目されているブルーレイディスクや今後開発されるものを含めた種々の光ディスク等が適用可能になっている。
【００２０】
搬送用ローラ３４は、幅方向Ｂに延びる長寸の搬送駆動ローラ３５と、当該搬送駆動ローラ３５の外周面に圧接され、幅方向Ｂに適宜の間隔を空けて配設される複数の短寸の搬送従動ローラ３６とによって構成されている。また、前記搬送駆動ローラ３５は、プリンタ本体２におけるサイドフレーム７間に水平に架け渡されているローラ駆動軸３５ａに対して設けられている。
【００２１】
排出用ローラ４３は、幅方向Ｂに適宜の間隔を空けて配設される複数の短寸のゴムローラによって構成されている排出駆動ローラ４４と、該排出駆動ローラ４４と対に設けられる円板状の歯付きローラによって構成されている排出従動ローラ４５とによって構成されている。また、前記排出駆動ローラ４４は、プリンタ本体２におけるサイドフレーム７間に水平に架け渡されているローラ駆動軸４４ａに対して設けられており、上述した搬送駆動ローラ３５のローラ駆動軸３５ａの回転がタイミングベルト８を介して伝達され、同期して回転し得るようになっている。また、前記排出用ローラ４３によって排出された第１の被記録材Ｐは前方に張り出すように設けられている排出用スタッカ４７上に積畳状態でスタックされるようになっている。
【００２２】
記録実行装置４は、記録実行領域５１の上部に設けられるキャリッジ４０と、該キャリッジ４０の下面に搭載される記録ヘッド４２と、記録実行領域５１の下部に設けられるプラテン３８とを備えることによって基本的に構成されている。
【００２３】
キャリッジ４０は、第２の被記録材Ｑの搬送方向Ａと交差する幅方向Ｂに沿って架け渡されているキャリッジガイド軸４１に沿って往復移動し得る部材である。また、記録ヘッド４２は、図示しないインク供給装置から供給されたインクを下面のインク吐出面に形成されている図示しないノズル口から吐出して第１の被記録材Ｐ又は第２の被記録材Ｑの上面の被記録面に直接、記録を実行する部材である。また、プラテン３８は、記録実行領域５１に搬送されてきた第１の被記録材Ｐの下面あるいは第２の被記録材Ｑがセットされている上述した保持トレイ５５の下面５５ｂを支持して、前記記録ヘッド４２の下面のインク吐出面と第１の被記録材Ｐ又は第２の被記録材Ｑの被記録面である上面との間のギャップＰＧを規定する各被記録材Ｐ、Ｑの搬送案内部材になっている。
【００２４】
［実施例１］
次に、このようにして構成される本実施例に係るインクジェットプリンタ１における被記録材の搬送装置５の構造と作動態様について図面に基づいて具体的に説明する。  
図３は本実施例に係る被記録材の搬送装置を示す保持トレイがセットポジションに位置しているときの斜視図、図４は同保持トレイが記録実行領域に位置しているときの側断面図である。図５は同保持トレイが記録実行領域に位置しているとき平面図、図６は図５中のＡ−Ａ断面図で一部が拡大して示されており、図７は図５中のＢ−Ｂ断面図で一部が拡大して示されている。また、図８は保持トレイの上面（一面）側を示す斜視図、図９は保持トレイの下面（他面）側を示す斜視図である。
【００２５】
本実施例の被記録材の搬送装置５は、前述した保持トレイ５５と、搬送用ローラ３４と、排出用ローラ４３とを備えており、前記保持トレイ５５の下面５５ｂに前記搬送駆動ローラ３５の外周面と接触する凸部８１と前記排出駆動ローラ４４を受け入れる凹部８２とを備えた凹凸構造部８０を設けたことを特徴的構成としている。そして、本実施例では、前記凹部８２は排出駆動ローラ４４の数に対応して複数設けられており、第２の被記録材Ｑの搬送方向Ａに沿って平行に延びる溝部８３によって構成されている。
【００２６】
また、前記溝部８３の幅寸法Ｗは、前記排出駆動ローラ４４を個別に受け入れることができるよう、排出駆動ローラ４４の長さよりも幾分、大きめに設定されており、溝部８３の深さＨは、前記保持トレイ５５を使用して第２の被記録材Ｑを水平姿勢、すなわち記録ヘッド４２のインク吐出面との平行度が高い姿勢で搬送するに際して、前記溝部８３の底面８３ａに排出駆動ローラ４４の外周面が接触する深さまたは前記溝部８３の底面８３ａと排出駆動ローラ４４の外周面との間に空隙ができる深さに設定されている。尚、後者の溝部８３の底面８３ａと排出駆動ローラ４４の外周面との間に空隙ができるようにした場合には、別途、保持トレイ５５の水平姿勢を保つための姿勢保持部が必要であり、本実施例ではプラテン３８の構成部材であって、第１の被記録材における通過領域の左右外側に姿勢保持部８５Ｌ，８５Ｒが設けられている。
【００２７】
次に、上述した本実施例の被記録材の搬送装置５における作動態様について（１）第１の被記録材を使用する場合と、（２）第２の被記録材を使用する場合に分けて説明する。
【００２８】
（１）第１の被記録材（普通紙等）を使用する場合
第１の被記録材Ｐを使用して記録を実行する場合には、図４中、仮想線で示すように該被記録材Ｐは、一対のニップローラによって構成される搬送用ローラ３４によって挟持されて搬送力が付与されて、プラテン３８の上面に押し付けられるように下向きに傾斜した姿勢で記録実行領域５１に進入する。その後、プラテン３８上を滑るようにして水平に案内され、記録ヘッド４２の下方を搬送されて排出用ローラ４３のニップ点に導かれる。尚、排出駆動ローラ４４の外周面の頂部Ｔ１の高さは、搬送駆動ローラ３５の外周面の頂部Ｔ０の高さよりも、凹部８２を設けた分だけ高く設定されている。これにより、第１の被記録材Ｐは、排出用ローラ４３側からもプラテン３８の上面に押し付けられる力を受けており、記録ヘッド４２の下面のインク吐出面と該被記録材Ｐの上面との間のギャップＰＧについて記録実行領域５１を通じて安定化が図られている。
【００２９】
（２）第２の被記録材（ＣＤ−Ｒ等）を使用する場合
第２の被記録材Ｑを使用して記録を実行する場合には、図４中、実線で示すように第２の被記録材Ｑは、保持トレイ５５によって保持された状態で搬送用ローラ３４のニップ点に至る。そして、図６に示すように保持トレイ５５の上面５５ａが搬送従動ローラ３６の外周面に接触し、保持トレイ５５の下面５５ｂにおける凸部８１の天面８１ａが搬送駆動ローラ３５の外周面に接触して搬送力が付与され、記録実行領域５１に導かれる。
【００３０】
また、保持トレイ５５が記録実行領域５１を通過中は、姿勢保持部８５Ｌ，８５Ｒと、前記搬送駆動ローラ３５とによって保持トレイ５５の水平姿勢が保たれている。保持トレイ５５の先端部が排出用ローラ４３の排出駆動ローラ４４上に至ると、保持トレイ５５の下面５５ｂに形成されている溝部８３に排出駆動ローラ４４が進入する。従って、保持トレイ５５の水平姿勢はそのまま維持され、図１、図３に示すセットポジション５３に向けて安定した前記ギャップＰＧを保って第２の被記録材Ｑは搬送される。尚、この間の保持トレイ５５の水平姿勢は、搬送駆動ローラ３５と、排出駆動ローラ４４及び姿勢保持部８５Ｌ，８５Ｒとによって保たれている。
【００３１】
［実施例２］
本発明に係る記録装置１は、以上述べたような構成を基本とするものであるが、本発明の要旨を逸脱しない範囲内の部分的構成の変更や省略等を行うことも勿論可能である。
【００３２】
図１０は凹凸構造部の構成を異ならせた他の実施例を示す搬送用ローラのニップ点での縦断面図（ａ）と、排出用ローラの部分での縦断面図（ｂ）である。  
即ち、凹部８２の幅寸法Ｗは、排出駆動ローラ４４の長さに合わせて設定する場合に限らず、図１０に示すように搬送従動ローラ３６の位置に基づいて設定することが可能である。因みに、図１０に示す凹凸構造部８０Ａの場合には、搬送従動ローラ３６の位置と対応する保持トレイ５５の下面５５ａに凸部８１を設けており、凹部８２の幅寸法Ｗは排出駆動ローラ４４の長さよりも幾分長めに設定されている。そして、この図１０に示す他の実施例に係る被記録材の搬送装置５Ａを採用した場合にも図３〜図９に示す前記実施例１と同様の作用、効果を奏することができる。
【００３３】
［実施例３］
また、図１１は凹凸構造部の構成を異ならせた更に他の実施例を示す搬送用ローラのニップ点での縦断面図（ａ）と、排出用ローラの部分での縦断面図（ｂ）である。即ち、１つの凹部８２には必ずしも排出駆動ローラ４４が１つ収容される場合に限らず、図１１に示すように、１つの凹部８２に対して複数の排出駆動ローラ４４を収容するようにすることも可能である。そして、この図１１に示す他の実施例に係る被記録材の搬送装置５Ｂを採用した場合にも図３〜図９に示す前記実施例１と同様の作用、効果を奏することができる。
【図面の簡単な説明】
【００３４】
【図１】インクジェットプリンタの内部構造を示す保持トレイがセットポジションに位置しているときの斜視図。
【図２】インクジェットプリンタの内部構造の概略を示す保持トレイが走査領域に位置しているときの側断面図。
【図３】被記録材の搬送装置を示す保持トレイがセットポジションに位置しているときの斜視図。
【図４】同保持トレイが記録実行領域に位置しているときの側断面図。
【図５】同保持トレイが記録実行領域に位置しているときの平面図。
【図６】図５中のＡ−Ａ断面図で一部が拡大して示されている。
【図７】図５中のＢ−Ｂ断面図で一部が拡大して示されている。
【図８】保持トレイの上面側を示す斜視図。
【図９】保持トレイの下面側を示す斜視図。
【図１０】被記録材の搬送装置の他の実施例を示す破断位置を異らせた縦断面図（ａ）（ｂ）。
【図１１】被記録材の搬送装置の更に他の実施例を示す破断位置を異らせた縦断面図（ａ）（ｂ）。
【符号の説明】
【００３５】
１  インクジェットプリンタ、２  プリンタ本体（記録装置本体）、４  記録実行装置（記録実行部）、５  被記録材の搬送装置、７  サイドフレーム、８  タイミングベルト、３４  搬送用ローラ、３５  搬送駆動ローラ、３５ａ  ローラ駆動軸、３６  搬送従動ローラ、３８  プラテン、４０  キャリッジ、４１  キャリッジガイド軸、４２  記録ヘッド、４３  排出用ローラ、４４  排出駆動ローラ、４４ａ  ローラ駆動軸、４５  排出従動ローラ、４７  排出用スタッカ、５１  記録実行領域、５３  セットポジション、５５  保持トレイ、５５ａ  上面、５５ｂ  下面、７１  セット凹部、７２  チャック、７３  内周縁、８０  凹凸構造部、８１  凸部、８１ａ  天面、８２  凹部、８３  溝部、８３ａ  底面、８５Ｌ，８５Ｒ  姿勢保持部、Ｐ  第１の被記録材（普通紙等）、Ｑ  第２の被記録材（光ディスク等）、Ａ  搬送方向、Ｂ  幅方向、ＰＧ  ギャップ、Ｗ  幅寸法、Ｈ  深さ、Ｔ０  頂部、Ｔ１  頂部
【図１】
0005267779.tif 000002
【図２】
0005267779.tif 000003
【図３】
0005267779.tif 000004
【図４】
0005267779.tif 000005
【図５】
0005267779.tif 000006
【図６】
0005267779.tif 000007
【図７】
0005267779.tif 000008
【図８】
0005267779.tif 000009
【図９】
0005267779.tif 000010
【図１０】
0005267779.tif 000011
【図１１】
0005267779.tif 000012